(57)【要約】【課題】快適な音声受信を実現することはもちろん、消費電力の低減を図ることのできる音声送信装置を提供すること。【解決手段】音声信号で搬送波を変調する送信回路２と、変調波を増幅するアンプ３Ｌ、３Ｒと、増幅した変調波に基づいて音声信号を送信する発光ダイオード５Ｌ、５Ｒとを備えた音声送信装置２１において、音声信号の送信先と音声送信装置２１との距離に基づいて、アンプ３Ｌ、３Ｒによる増幅の調整を行う制御回路２２を設ける。【選択図】　図１
2004096537.tif 000002
【特許請求の範囲】
【請求項１】
音声信号で搬送波を変調する変調手段と、変調波を増幅する増幅手段と、増幅した前記変調波に基づいて前記音声信号を送信する送信手段とを備えた音声送信装置において、
前記音声信号の送信先と前記音声信号の送信元との距離に関する情報、又は前記距離に相当する情報に基づいて、前記増幅手段による増幅の調整を行う第１の増幅調整手段を備えていることを特徴とする音声送信装置。
【請求項２】
音声信号で搬送波を変調する変調手段と、変調波を増幅する増幅手段と、増幅した前記変調波に基づいて前記音声信号を送信する送信手段とを備えた音声送信装置において、
前記音声信号の送信先と前記音声信号の送信元との距離に関する情報、又は前記距離に相当する情報に基づいて、前記送信手段に印加される電圧値の調整を行う電圧値調整手段を備えていることを特徴とする音声送信装置。
【請求項３】
音声信号で搬送波を変調する変調手段と、変調波を増幅する増幅手段と、増幅した前記変調波に基づいて前記音声信号を送信する送信手段とを備えた音声送信装置において、
前記音声信号の送信先と前記音声信号の送信元との距離に関する情報、又は前記距離に相当する情報に基づいて、前記送信手段に供給される電流値の調整を行う電流値調整手段を備えていることを特徴とする音声送信装置。
【請求項４】
音声信号で搬送波を変調する変調手段と、変調波を増幅する増幅手段と、増幅した前記変調波に基づいて前記音声信号を送信する送信手段とを備えた音声送信装置において、
前記音声信号の送信先と前記音声信号の送信元との距離に関する情報、又は前記距離に相当する情報に基づいて、２チャンネルからなる音声信号を１チャンネルの音声信号に変換する音声信号変換手段を備え、
該音声信号変換手段により音声信号の変換が行われると、前記送信手段から１チャンネルの音声信号が送信されるように構成されていることを特徴とする音声送信装置。
【請求項５】
音声信号で搬送波を変調する変調手段と、変調波を増幅する増幅手段と、増幅した前記変調波に基づいて前記音声信号を送信する送信手段とを備えた音声送信装置において、
前記音声信号の送信先と前記音声信号の送信元との距離に関する情報、又は前記距離に相当する情報に基づいて、前記音声信号で前記搬送波を変調させないようにする変調禁止手段を備え、
該変調禁止手段により変調が禁止されると、前記送信手段から前記搬送波だけが送信されるように構成されていることを特徴とする音声送信装置。
【請求項６】
音声信号で搬送波を変調する変調手段と、変調波を増幅する増幅手段と、増幅した前記変調波に基づいて前記音声信号を送信する送信手段とを備えた音声送信装置において、
前記音声信号の送信先と前記音声信号の送信元との距離に関する情報、又は前記距離に相当する情報に基づいて、前記音声信号の送信を禁止する送信禁止手段を備えていることを特徴とする音声送信装置。
【請求項７】
音声信号で搬送波を変調する変調手段と、変調波を増幅する増幅手段と、増幅した前記変調波に基づいて前記音声信号を送信する送信手段とを備えた音声送信装置において、
前記送信手段として、遠距離向きと近距離向きとが設けられ、
前記音声信号の送信先と前記音声信号の送信元との距離に関する情報、又は前記距離に相当する情報に基づいて、前記送信手段の遠距離向きと近距離向きとの使い分けを行う使用切換手段を備えていることを特徴とする音声送信装置。
【請求項８】
音声信号で搬送波を変調する変調手段と、変調波を増幅する増幅手段と、増幅した前記変調波に基づいて前記音声信号を送信する送信手段とを備えた音声送信装置において、
前記音声信号の送信先と前記音声信号の送信元との距離に関する情報、又は前記距離に相当する情報に基づいて、前記搬送波に載せる前の音声信号の増幅の調整を行う第２の増幅調整手段を備えていることを特徴とする音声送信装置。
【請求項９】
音声信号で搬送波を変調する変調手段と、変調波を増幅する増幅手段と、増幅した前記変調波に基づいて前記音声信号を送信する送信手段とを備えた音声送信装置において、
前記音声信号の送信先と前記音声信号の送信元との距離に関する情報、又は前記距離に相当する情報に基づいて、前記音声信号に警告を示す信号を重畳する信号重畳手段を備え、
該信号重畳手段により前記音声信号に警告を示す信号が重畳されると、前記送信手段から警告を示す信号が重畳された前記音声信号が送信されるように構成されていることを特徴とする音声送信装置。
【請求項１０】
音声信号で搬送波を変調する変調手段と、変調波を増幅する増幅手段と、増幅した前記変調波に基づいて前記音声信号を送信する送信手段とを備えた音声送信装置において、
前記音声信号の送信先と前記音声信号の送信元との距離に関する情報、又は前記距離に相当する情報に基づいて、前記送信手段の使用数を変更する使用数変更手段を備えていることを特徴とする音声送信装置。
【請求項１１】
音声信号で搬送波を変調する変調手段と、変調波を増幅する増幅手段と、増幅した前記変調波に基づいて前記音声信号を送信する送信手段とを備えた音声送信装置において、
前記送信手段が、垂直方向、及び／又は水平方向に移動可能となるように構成され、
前記音声信号の送信先と前記音声信号の送信元との距離に関する情報、又は前記距離に相当する情報に基づいて、前記送信手段の位置を移動させる移動制御手段を備えていることを特徴とする音声送信装置。
【請求項１２】
音声信号で搬送波を変調する変調手段と、変調波を増幅する増幅手段と、増幅した前記変調波に基づいて前記音声信号を送信する送信手段とを備えた音声送信装置において、
前記送信手段が、前記音声信号の送信する向きを変更させることが可能となるように構成され、
前記音声信号の送信先と前記音声信号の送信元との距離に関する情報、又は前記距離に相当する情報に基づいて、前記向きを変更させる変更制御手段を備えていることを特徴とする音声送信装置。
【発明の詳細な説明】
【０００１】
【発明の属する技術分野】
本発明は音声送信装置に関し、より詳細には、ワイヤレスで音声を送信するための音声送信装置に関する。
【０００２】
【従来の技術】
図１３は従来のワイヤレスで音声を送受信するための音声送受信システムの外観を示した図であり、図１４は前記音声送受信システムを構成する音声送信装置の要部を概略的に示したブロック図である。前記音声送受信システムは室内に設置される音声送信装置１と、音声送信装置１から送信されてくる音声を受信するための音声受信装置１１とを含んで構成されている。なお、音声受信装置１１はヘッドフォンを構成している。
【０００３】
音声送信装置１は送信回路２（例えば、赤外線オーディオ信号送信用ＩＣで株式会社東芝製のＴＡ２０６１ＡＦ）と、アンプ３Ｌ、３Ｒと、トランジスタ４Ｌ、４Ｒと、発光ダイオード５Ｌ、５Ｒと、抵抗６Ｌ、６Ｒとを含んで構成されている。
【０００４】
送信回路２にはＬチャンネルの音声信号、及びＲチャンネルの音声信号を入力することができ、入力されＬチャンネルの音声信号をある特定の搬送波（例えば、２．３ＭＨｚ）に載せ、前記音声信号で変調された変調波をアンプ３Ｌの入力側へ出力し、他方、入力されたＲチャンネルの音声信号を前記搬送波とは別の搬送波（例えば、２．８ＭＨｚ）に載せ、前記音声信号で変調された変調波をアンプ３Ｒの入力側へ出力することができるようになっている。
【０００５】
アンプ３Ｌ、３Ｒの出力側はそれぞれトランジスタ４Ｌ、４Ｒのベースに接続され、トランジスタ４Ｌ、４Ｒのエミッタはそれぞれ抵抗６Ｌ、６Ｒを介して接地され、コレクタはそれぞれ発光ダイオード５Ｌ、５Ｒのカソードに接続されている。また、発光ダイオード５Ｌ、５Ｒのアノードにはそれぞれ直流電源７Ｌ、７Ｒ（例えば、ＤＣ９Ｖ）が接続されている。
【０００６】
従って、Ｌチャンネルの変調波は、アンプ３Ｌ及びトランジスタ４Ｌで増幅されて、発光ダイオード５Ｌから発光信号として音声受信装置１１に対して送信され、他方、Ｒチャンネルの変調波は、アンプ３Ｒ及びトランジスタ４Ｒで増幅されて、発光ダイオード５Ｒから発光信号として音声受信装置１１に対して送信されるようになっている。
【０００７】
音声受信装置１１はフォト・トランジスタ（図示せず）と、イヤフォン１２Ｌ、１２Ｒと、ヘッドバンド１３とを含んで構成されている。前記フォト・トランジスタは音声送信装置１から送信されてくる発光信号を受信すると、受信した発光信号を電気信号に変換することができるようになっており、この変換された電気信号に基づいて、イヤフォン１２Ｌ、１２Ｒから復調された音声が発せられるようになっている。
【０００８】
【特許文献１】
特開平７−１３１８８３号公報
【０００９】
【発明が解決しようとする課題】
上記したように、前記音声送受信システムでは、音声送信装置１と音声受信装置１１とを繋ぐワイヤが不要であるため、音声受信装置１１であるヘッドフォンを着用しながら自由に動き回ることができるといった優れた利点があるが、その反面で、下記のａ〜ｃに示す問題がある。
【００１０】
ａ．発光ダイオード５Ｌ、５Ｒから送信される発光信号が届きにくいところまで、音声受信装置１１であるヘッドフォンを着用している者（以降、使用者とも記す）が移動した場合、雑音が入り、音声が聞きづらくなる。
ｂ．前記発光信号が全く届かないところまで、前記使用者が離れてしまった場合、音声送信装置１における送信電力が全く無駄になる。
ｃ．逆に、前記使用者が音声送信装置１の近くにいる場合、必要以上の電力を消費してしまうこととなる。
【００１１】
本発明は上記課題に鑑みなされたものであって、快適な音声受信を実現することはもちろん、消費電力の低減を図ることのできる音声送信装置を提供することを目的としている。
【００１２】
【課題を解決するための手段及びその効果】
上記目的を達成するために本発明に係る音声送信方法（１）は、音声信号で搬送波を変調する変調手段と、変調波を増幅する増幅手段と、増幅した前記変調波に基づいて前記音声信号を送信する送信手段とを備えた音声送信装置において、前記音声信号の送信先と前記音声信号の送信元との距離に関する情報、又は前記距離に相当する情報に基づいて、前記増幅手段による増幅の調整を行う第１の増幅調整手段を備えていることを特徴としている。
【００１３】
上記音声送信方法（１）によれば、前記音声信号の送信先と前記音声信号の送信元（すなわち、前記音声送信装置）との距離に関する情報、又は前記距離に相当する情報に基づいて、前記増幅手段による増幅の調整が行われる。そのため、例えば、前記距離が遠い場合は、アンプ３Ｌ、３Ｒ（図１４参照）による増幅を大きくし、他方、前記距離が近い場合は、アンプ３Ｌ、３Ｒによる増幅を小さくすることができる。
これにより、前記距離が遠い場合は、前記音声信号の到達距離が伸びるため、前記距離が遠く離れた場合における聴感レベルの改善を図ることができる。また、前記距離が近い場合は、消費電力の低減を図ることができる。
【００１４】
また、本発明に係る音声送信方法（２）は、音声信号で搬送波を変調する変調手段と、変調波を増幅する増幅手段と、増幅した前記変調波に基づいて前記音声信号を送信する送信手段とを備えた音声送信装置において、前記音声信号の送信先と前記音声信号の送信元との距離に関する情報、又は前記距離に相当する情報に基づいて、前記送信手段に印加される電圧値の調整を行う電圧値調整手段を備えていることを特徴としている。
【００１５】
上記音声送信方法（２）によれば、前記音声信号の送信先と前記音声信号の送信元（すなわち、前記音声送信装置）との距離に関する情報、又は前記距離に相当する情報に基づいて、前記送信手段に印加される電圧値の調整が行われる。そのため、例えば、前記距離が遠い場合は、発光ダイオード５Ｌ、５Ｒ（図１４参照）に印加される電圧値を大きくし、他方、前記距離が近い場合は、発光ダイオード５Ｌ、５Ｒに印加される電圧値を小さくすることができる。
これにより、前記距離が遠い場合は、前記音声信号の到達距離が伸びるため、前記距離が遠く離れた場合における聴感レベルの改善を図ることができる。また、前記距離が近い場合は、消費電力の低減を図ることができる。
【００１６】
また、本発明に係る音声送信方法（３）は、音声信号で搬送波を変調する変調手段と、変調波を増幅する増幅手段と、増幅した前記変調波に基づいて前記音声信号を送信する送信手段とを備えた音声送信装置において、前記音声信号の送信先と前記音声信号の送信元との距離に関する情報、又は前記距離に相当する情報に基づいて、前記送信手段に供給される電流値の調整を行う電流値調整手段を備えていることを特徴としている。
【００１７】
上記音声送信方法（３）によれば、前記音声信号の送信先と前記音声信号の送信元（すなわち、前記音声送信装置）との距離に関する情報、又は前記距離に相当する情報に基づいて、前記送信手段に供給される電流値の調整が行われる。そのため、例えば、前記距離が遠い場合は、発光ダイオード５Ｌ、５Ｒ（図１４参照）に供給される電流値を大きくし、他方、前記距離が近い場合は、発光ダイオード５Ｌ、５Ｒに供給される電流値を小さくすることができる。
これにより、前記距離が遠い場合は、前記音声信号の到達距離が伸びるため、前記距離が遠く離れた場合における聴感レベルの改善を図ることができる。また、前記距離が近い場合は、消費電力の低減を図ることができる。
【００１８】
また、本発明に係る音声送信方法（４）は、音声信号で搬送波を変調する変調手段と、変調波を増幅する増幅手段と、増幅した前記変調波に基づいて前記音声信号を送信する送信手段とを備えた音声送信装置において、前記音声信号の送信先と前記音声信号の送信元との距離に関する情報、又は前記距離に相当する情報に基づいて、２チャンネルからなる音声信号を１チャンネルの音声信号に変換する音声信号変換手段を備え、該音声信号変換手段により音声信号の変換が行われると、前記送信手段から１チャンネルの音声信号が送信されるように構成されていることを特徴としている。
【００１９】
上記音声送信方法（４）によれば、前記音声信号の送信先と前記音声信号の送信元（すなわち、前記音声送信装置）との距離に関する情報、又は前記距離に相当する情報に基づいて、２チャンネルからなる音声信号が１チャンネルの音声信号に変換される。そのため、例えば、前記距離が遠くステレオ受信が難しい場合は、ステレオ状態ではなくモノラル状態で音声信号を送信することができる。
これにより、前記距離が遠くステレオ受信が難しい場合は、モノラル状態で音声信号が送信されるため、前記距離が遠く離れた場合におけるノイズの軽減を図ることができる。
【００２０】
また、本発明に係る音声送信方法（５）は、音声信号で搬送波を変調する変調手段と、変調波を増幅する増幅手段と、増幅した前記変調波に基づいて前記音声信号を送信する送信手段とを備えた音声送信装置において、前記音声信号の送信先と前記音声信号の送信元との距離に関する情報、又は前記距離に相当する情報に基づいて、前記音声信号で前記搬送波を変調させないようにする変調禁止手段を備え、該変調禁止手段により変調が禁止されると、前記送信手段から前記搬送波だけが送信されるように構成されていることを特徴としている。
【００２１】
上記音声送信方法（５）によれば、前記音声信号の送信先と前記音声信号の送信元（すなわち、前記音声送信装置）との距離に関する情報、又は前記距離に相当する情報に基づいて、前記音声信号で変調することなく、前記搬送波だけが送信される。そのため、例えば、前記距離が遠い場合は、前記音声信号で変調させずに、前記搬送波だけを送信することができる。
これにより、前記距離が遠く受信が難しい場合は、前記搬送波だけが送信されるため、前記距離が遠く離れた場合におけるノイズの軽減を図ることができるとと共に、使用者に対して前記送信元から遠く離れていることを知らせることができる。
【００２２】
また、本発明に係る音声送信方法（６）は、音声信号で搬送波を変調する変調手段と、変調波を増幅する増幅手段と、増幅した前記変調波に基づいて前記音声信号を送信する送信手段とを備えた音声送信装置において、前記音声信号の送信先と前記音声信号の送信元との距離に関する情報、又は前記距離に相当する情報に基づいて、前記音声信号の送信を禁止する送信禁止手段を備えていることを特徴としている。
【００２３】
上記音声送信方法（６）によれば、前記音声信号の送信先と前記音声信号の送信元（すなわち、前記音声送信装置）との距離に関する情報、又は前記距離に相当する情報に基づいて、前記音声信号の送信が禁止される。そのため、例えば、前記距離が遠い場合は、前記音声信号の送信を禁止することができる。
これにより、前記距離が遠く受信が難しい場合は、前記音声信号の送信が禁止されるため、不要に電力が消費されるのを防ぐことができると共に、使用者に対して前記送信元から遠く離れていることを知らせることができる。
【００２４】
また、本発明に係る音声送信方法（７）は、音声信号で搬送波を変調する変調手段と、変調波を増幅する増幅手段と、増幅した前記変調波に基づいて前記音声信号を送信する送信手段とを備えた音声送信装置において、前記送信手段として、遠距離向きと近距離向きとが設けられ、前記音声信号の送信先と前記音声信号の送信元との距離に関する情報、又は前記距離に相当する情報に基づいて、前記送信手段の遠距離向きと近距離向きとの使い分けを行う使用切換手段を備えていることを特徴としている。
【００２５】
上記音声送信方法（７）によれば、前記音声信号の送信先と前記音声信号の送信元（すなわち、前記音声送信装置）との距離に関する情報、又は前記距離に相当する情報に基づいて、前記送信手段の遠距離向きと近距離向きとが使い分けられる。そのため、例えば、前記距離が遠い場合は、遠距離向きの（すなわち、前記音声信号の到達距離の長い）送信手段を使い、他方、前記距離が近い場合は、近距離向きの（すなわち、前記音声信号の到達距離の短い）送信手段を使うことができる。
これにより、前記距離が遠い場合は、前記音声信号の到達距離が伸びるため、前記距離が遠く離れた場合における聴感レベルの改善を図ることができる。また、前記距離が近い場合は、消費電力の低減を図ることができる。
【００２６】
また、本発明に係る音声送信方法（８）は、音声信号で搬送波を変調する変調手段と、変調波を増幅する増幅手段と、増幅した前記変調波に基づいて前記音声信号を送信する送信手段とを備えた音声送信装置において、前記音声信号の送信先と前記音声信号の送信元との距離に関する情報、又は前記距離に相当する情報に基づいて、前記搬送波に載せる前の音声信号の増幅の調整を行う第２の増幅調整手段を備えていることを特徴としている。
【００２７】
上記音声送信方法（８）によれば、前記音声信号の送信先と前記音声信号の送信元（すなわち、前記音声送信装置）との距離に関する情報、又は前記距離に相当する情報に基づいて、前記搬送波に載せる前の音声信号の増幅の調整が行われる。そのため、例えば、前記距離が遠い場合は、前記音声信号の信号レベルを上げ、他方、前記距離が近い場合は、前記信号レベルを下げることができる。
これにより、前記距離が遠い場合は、前記音声信号の信号レベルが上がるため、前記距離が遠く離れた場合でも安定した聴感レベルを維持することができる。また、前記距離が近い場合は、消費電力の低減を図ることができる。
【００２８】
また、本発明に係る音声送信方法（９）は、音声信号で搬送波を変調する変調手段と、変調波を増幅する増幅手段と、増幅した前記変調波に基づいて前記音声信号を送信する送信手段とを備えた音声送信装置において、前記音声信号の送信先と前記音声信号の送信元との距離に関する情報、又は前記距離に相当する情報に基づいて、前記音声信号に警告を示す信号を重畳する信号重畳手段を備え、該信号重畳手段により前記音声信号に警告を示す信号が重畳されると、前記送信手段から警告を示す信号が重畳された前記音声信号が送信されるように構成されていることを特徴としている。
【００２９】
上記音声送信方法（９）によれば、前記音声信号の送信先と前記音声信号の送信元（すなわち、前記音声送信装置）との距離に関する情報、又は前記距離に相当する情報に基づいて、前記音声信号に警告を示す信号が重畳して送信される。そのため、例えば、前記距離が遠い場合は、前記音声信号に警告を示す信号を重畳して送信することができる。
これにより、前記距離が遠く受信が難しい場合は、前記音声信号に警告を示す信号が重畳して送信されるため、使用者に対して前記送信元から遠く離れていることを警告音で知らせることができる。
【００３０】
また、本発明に係る音声送信方法（１０）は、音声信号で搬送波を変調する変調手段と、変調波を増幅する増幅手段と、増幅した前記変調波に基づいて前記音声信号を送信する送信手段とを備えた音声送信装置において、前記音声信号の送信先と前記音声信号の送信元との距離に関する情報、又は前記距離に相当する情報に基づいて、前記送信手段の使用数を変更する使用数変更手段を備えていることを特徴としている。
【００３１】
上記音声送信方法（１０）によれば、前記音声信号の送信先と前記音声信号の送信元（すなわち、前記音声送信装置）との距離に関する情報、又は前記距離に相当する情報に基づいて、前記送信手段の使用数が変更される。そのため、例えば、前記距離が遠い場合は、前記送信手段の使用数を多くして前記音声信号の到達距離を長くし、他方、前記距離が短い場合は、前記送信手段の使用数を少なくして前記音声信号の到達距離を短くすることができる。
これにより、前記距離が遠い場合は、前記音声信号の到達距離が伸びるため、前記距離が遠く離れた場合における聴感レベルの改善を図ることができる。また、前記距離が近い場合は、消費電力の低減を図ることができる。
【００３２】
また、本発明に係る音声送信方法（１１）は、音声信号で搬送波を変調する変調手段と、変調波を増幅する増幅手段と、増幅した前記変調波に基づいて前記音声信号を送信する送信手段とを備えた音声送信装置において、前記送信手段が、垂直方向、及び／又は水平方向に移動可能となるように構成され、前記音声信号の送信先と前記音声信号の送信元との距離に関する情報、又は前記距離に相当する情報に基づいて、前記送信手段の位置を移動させる移動制御手段を備えていることを特徴としている。
【００３３】
上記音声送信方法（１１）によれば、前記音声信号の送信先と前記音声信号の送信元（すなわち、前記音声送信装置）との距離に関する情報、又は前記距離に相当する情報に基づいて、前記送信手段が垂直方向、及び／又は水平方向に移動させられる。そのため、例えば、前記距離が遠い場合は、前記送信手段を上昇させたり、水平方向に移動させ、他方、前記距離が短い場合は、前記送信手段を下降させたり、水平方向に移動させることができる。
これにより、前記音声信号の到達範囲を適宜調整することができるため、前記距離が遠く離れた場合における聴感レベルの改善を図ることができる。
【００３４】
また、本発明に係る音声送信方法（１２）は、音声信号で搬送波を変調する変調手段と、変調波を増幅する増幅手段と、増幅した前記変調波に基づいて前記音声信号を送信する送信手段とを備えた音声送信装置において、前記送信手段が、前記音声信号の送信する向きを変更させることが可能となるように構成され、前記音声信号の送信先と前記音声信号の送信元との距離に関する情報、又は前記距離に相当する情報に基づいて、前記向きを変更させる変更制御手段を備えていることを特徴としている。
【００３５】
上記音声送信方法（１２）によれば、前記音声信号の送信先と前記音声信号の送信元（すなわち、前記音声送信装置）との距離に関する情報、又は前記距離に相当する情報に基づいて、前記送信手段における前記音声信号を送信する向きが変更される。そのため、例えば、前記距離が遠い場合は、前記向きを変更することができる。
これにより、前記音声信号の到達範囲を適宜調整することができるため、前記距離が遠く離れた場合における聴感レベルの改善を図ることができる。
【００３６】
【発明の実施の形態】
以下、本発明に係る音声送信装置の実施の形態を図面に基づいて説明する。図１は、実施の形態（１）に係る音声送信装置の要部を概略的に示したブロック図である。但し、図１４に示した音声送信装置と同様の構成部分については同符号を付し、ここではその説明を省略する。
【００３７】
図中２１は音声送信装置を示しており、音声送信装置２１は送信回路２と、アンプ３Ｌ、３Ｒと、トランジスタ４Ｌ、４Ｒと、発光ダイオード５Ｌ、５Ｒと、抵抗６Ｌ、６Ｒと、直流電源７Ｌ、７Ｒと、制御回路２２と、音声送信装置２１と音声受信装置ＲＥ（図示せず）との距離Ｆを測定するための距離測定回路２３とを含んで構成されている。なお、距離測定回路２３は音声受信装置ＲＥから定期的に発信される信号を受信するためのフォト・トランジスタ（図示せず）を有しており、該フォト・トランジスタでの受信状態に基づいて、音声受信装置ＲＥとの距離Ｆを測定することができるようになっている。
【００３８】
制御回路２２には距離測定回路２３が接続され、制御回路２２は音声送信装置２１と音声受信装置ＲＥとの距離Ｆを把握することができるようになっている。また、制御回路２２は距離Ｆに基づいて、アンプ３Ｌ、３Ｒによる増幅量を調整することができるようになっており、例えば、距離Ｆが所定の距離Ｆ１以上であり、かつ所定の距離Ｆ２（＞Ｆ１）未満の場合、アンプ３Ｌ、３Ｒによる増幅量を基準レベルＬとし、距離Ｆが所定の距離Ｆ２以上の場合、アンプ３Ｌ、３Ｒによる増幅量を基準レベルＬの３０％増しとなるように調整し、逆に、距離Ｆが所定の距離Ｆ１未満の場合、アンプ３Ｌ、３Ｒによる増幅量を基準レベルＬの３０％下げとなるように調整する。
【００３９】
上記実施の形態（１）に係る音声送信装置によれば、音声送信装置２１と音声受信装置ＲＥとの距離Ｆに基づいて、アンプ３Ｌ、３Ｒによる増幅の調整が行われ、距離Ｆが遠い場合は、アンプ３Ｌ、３Ｒによる増幅を大きくし、他方、距離Ｆが近い場合は、アンプ３Ｌ、３Ｒによる増幅を小さくすることができるようになっている。
これにより、距離Ｆが遠い場合は、前記音声信号の到達距離が伸びるため、距離Ｆが遠く離れた場合における聴感レベルの改善を図ることができる。また、距離Ｆが近い場合は、消費電力の低減を図ることができる。
【００４０】
なお、上記実施の形態（１）に係る音声送信装置では、アンプ３Ｌ、３Ｒによる増幅量を数段階（ここでは、３段階）に分けて調整するようにしているが、別の実施の形態に係る音声送信装置では、前記増幅量をリニアに調整するようにしても良い。
【００４１】
図２は、実施の形態（２）に係る音声送信装置の要部を概略的に示したブロック図である。但し、図１に示した音声送信装置と同様の構成部分については同符号を付し、ここではその説明を省略する。
【００４２】
図中２４は音声送信装置を示しており、音声送信装置２４は送信回路２と、アンプ３Ｌ、３Ｒと、トランジスタ４Ｌ、４Ｒと、発光ダイオード５Ｌ、５Ｒと、抵抗６Ｌ、６Ｒと、直流電源７Ｌ、７Ｒと、制御回路２５と、音声送信装置２４と音声受信装置ＲＥ（図示せず）との距離Ｆを測定するための距離測定回路２３とを含んで構成されている。
【００４３】
制御回路２５には距離測定回路２３が接続され、制御回路２５は音声送信装置２４と音声受信装置ＲＥとの距離Ｆを把握することができるようになっている。また、制御回路２５は距離Ｆに基づいて、発光ダイオード５Ｌ、５Ｒに印加される電圧値を調整することができるようになっており、例えば、距離Ｆが所定の距離Ｆ１以上であり、かつ所定の距離Ｆ２（＞Ｆ１）未満の場合、発光ダイオード５Ｌ、５Ｒに印加される電圧値を基準レベルＬ（例えば、９Ｖ）とし、距離Ｆが所定の距離Ｆ２以上の場合、前記電圧値を基準レベルＬの３０％増しとなるように調整し、逆に、距離Ｆが所定の距離Ｆ１未満の場合、前記電圧値を基準レベルＬの３０％下げとなるように調整する。
【００４４】
上記実施の形態（２）に係る音声送信装置によれば、音声送信装置２４と音声受信装置ＲＥとの距離Ｆに基づいて、発光ダイオード５Ｌ、５Ｒに印加される電圧値の調整が行われ、距離Ｆが遠い場合は、発光ダイオード５Ｌ、５Ｒに印加される電圧値を大きくし、他方、距離Ｆが近い場合は、発光ダイオード５Ｌ、５Ｒに印加される電圧値を小さくすることができるようになっている。
これにより、距離Ｆが遠い場合は、前記音声信号の到達距離が伸びるため、距離Ｆが遠く離れた場合における聴感レベルの改善を図ることができる。また、距離Ｆが近い場合は、消費電力の低減を図ることができる。
【００４５】
なお、上記実施の形態（２）に係る音声送信装置では、発光ダイオード５Ｌ、５Ｒに印加される電圧値を数段階（ここでは、３段階）に分けて調整するようにしているが、別の実施の形態に係る音声送信装置では、前記電圧値をリニアに調整するようにしても良い。
【００４６】
図３は、実施の形態（３）に係る音声送信装置の要部を概略的に示したブロック図である。但し、図１に示した音声送信装置と同様の構成部分については同符号を付し、ここではその説明を省略する。
【００４７】
図中２６は音声送信装置を示しており、音声送信装置２６は送信回路２と、アンプ３Ｌ、３Ｒと、トランジスタ４Ｌ、４Ｒ、２８Ｌ、２８Ｒと、発光ダイオード５Ｌ、５Ｒと、抵抗６Ｌ、６Ｒと、直流電源７Ｌ、７Ｒと、制御回路２７と、音声送信装置２６と音声受信装置ＲＥ（図示せず）との距離Ｆを測定するための距離測定回路２３とを含んで構成されている。
【００４８】
制御回路２７はトランジスタ２８Ｌ、２８Ｒのベースに接続され、トランジスタ２８Ｌ、２８Ｒのエミッタは接地され、コレクタはそれぞれトランジスタ４Ｌ、４Ｒのエミッタと抵抗６Ｌ、６Ｒとの間に接続されている。これにより、制御回路２７からトランジスタ２８Ｌ、２８Ｒのベースに流される電流値によって、発光ダイオード５Ｌ、５Ｒに供給される電流値を調整することができるようになっている。
【００４９】
また、制御回路２７には距離測定回路２３が接続され、制御回路２７は音声送信装置２６と音声受信装置ＲＥとの距離Ｆを把握することができるようになっている。よって、制御回路２７は距離Ｆに基づいて、発光ダイオード５Ｌ、５Ｒに供給される電流値を調整することができるようになっており、例えば、距離Ｆが所定の距離Ｆ１以上であり、かつ所定の距離Ｆ２（＞Ｆ１）未満の場合、発光ダイオード５Ｌ、５Ｒに供給される電流値を基準レベルＬとし、距離Ｆが所定の距離Ｆ２以上の場合、前記電流値を基準レベルＬの３０％増しとなるように調整し、逆に、距離Ｆが所定の距離Ｆ１未満の場合、前記電流値を基準レベルＬの３０％下げとなるように調整する。
【００５０】
上記実施の形態（３）に係る音声送信装置によれば、音声送信装置２６と音声受信装置ＲＥとの距離Ｆに基づいて、発光ダイオード５Ｌ、５Ｒに供給される電流値の調整が行われ、距離Ｆが遠い場合は、発光ダイオード５Ｌ、５Ｒに供給される電流値を大きくし、他方、距離Ｆが近い場合は、発光ダイオード５Ｌ、５Ｒに供給される電流値を小さくすることができるようになっている。
これにより、距離Ｆが遠い場合は、前記音声信号の到達距離が伸びるため、距離Ｆが遠く離れた場合における聴感レベルの改善を図ることができる。また、距離Ｆが近い場合は、消費電力の低減を図ることができる。
【００５１】
なお、上記実施の形態（３）に係る音声送信装置では、発光ダイオード５Ｌ、５Ｒに供給される電流値を数段階（ここでは、３段階）に分けて調整するようにしているが、別の実施の形態に係る音声送信装置では、前記電流値をリニアに調整するようにしても良い。
【００５２】
図４は、実施の形態（４）に係る音声送信装置の要部を概略的に示したブロック図である。但し、図１に示した音声送信装置と同様の構成部分については同符号を付し、ここではその説明を省略する。
【００５３】
図中２９は音声送信装置を示しており、音声送信装置２９は送信回路２と、アンプ３Ｌ、３Ｒと、トランジスタ４Ｌ、４Ｒと、発光ダイオード５Ｌ、５Ｒと、抵抗６Ｌ、６Ｒと、直流電源７Ｌ、７Ｒと、ステレオ／モノラル切換回路３０と、音声送信装置２９と音声受信装置ＲＥ（図示せず）との距離Ｆを測定するための距離測定回路２３とを含んで構成され、ステレオ／モノラル切換回路３０にはＬチャンネルの音声信号、及びＲチャンネルの音声信号が入力されるようになっている。
【００５４】
また、ステレオ／モノラル切換回路３０には距離測定回路２３が接続され、ステレオ／モノラル切換回路３０は音声送信装置２９と音声受信装置ＲＥとの距離Ｆを把握することができるようになっている。また、ステレオ／モノラル切換回路３０は距離Ｆに基づいて、送信回路２へ出力する音声信号をステレオ信号からモノラル信号へ変換するようになっており、例えば、距離Ｆが所定の距離Ｆ１未満である場合、通常通り、ステレオ信号を出力し、他方、距離Ｆが所定の距離Ｆ１以上である場合、モノラル信号を出力する。
【００５５】
上記実施の形態（４）に係る音声送信装置によれば、音声送信装置２９と音声受信装置ＲＥとの距離Ｆに基づいて、２チャンネルからなる音声信号（ステレオ信号）が１チャンネルの音声信号（モノラル信号）に変換され、距離Ｆが遠く音声受信装置ＲＥでステレオ受信が難しい場合は、ステレオ状態ではなくモノラル状態で音声信号を送信することができるようになっている。
これにより、距離Ｆが遠く音声受信装置ＲＥでステレオ受信が難しい場合は、モノラル状態で音声信号が送信されるため、距離Ｆが遠く離れた場合におけるノイズの軽減を図ることができる。
【００５６】
図５は、実施の形態（５）に係る音声送信装置の要部を概略的に示したブロック図である。但し、図１に示した音声送信装置と同様の構成部分については同符号を付し、ここではその説明を省略する。
【００５７】
図中３１は音声送信装置を示しており、音声送信装置３１は送信回路２と、アンプ３Ｌ、３Ｒと、トランジスタ４Ｌ、４Ｒと、発光ダイオード５Ｌ、５Ｒと、抵抗６Ｌ、６Ｒと、直流電源７Ｌ、７Ｒと、ミュート回路３２と、音声送信装置３１と音声受信装置ＲＥ（図示せず）との距離Ｆを測定するための距離測定回路２３とを含んで構成され、ミュート回路３２にはＬチャンネルの音声信号、及びＲチャンネルの音声信号が入力されるようになっている。
【００５８】
また、ミュート回路３２には距離測定回路２３が接続され、ミュート回路３２は音声送信装置３１と音声受信装置ＲＥとの距離Ｆを把握することができるようになっている。また、ミュート回路３２は距離Ｆに基づいて、送信回路２へ出力する音声信号を零、又は低レベルに減衰させるようになっており、例えば、距離Ｆが所定の距離Ｆ１未満である場合、通常通りの音声信号を出力し、他方、距離Ｆが所定の距離Ｆ１以上である場合、音声信号を零、又は低レベルに減衰させて出力する。従って、距離Ｆが所定の距離Ｆ１以上である場合、送信回路２からアンプ３Ｌ、３Ｒへは前記音声信号で変調することなく搬送波だけが出力されることとなる。
【００５９】
上記実施の形態（５）に係る音声送信装置によれば、音声送信装置３１と音声受信装置ＲＥとの距離Ｆに基づき、距離Ｆが遠い場合は、前記音声信号で変調することなく、前記搬送波だけを送信することができるようになっている。
これにより、距離Ｆが遠く音声受信装置ＲＥで前記音声信号の受信が難しい場合は、前記搬送波だけが送信されるため、距離Ｆが遠く離れた場合におけるノイズの軽減を図ることができるとと共に、使用者に対して音声送信装置３１から遠く離れていることを知らせることができる。
【００６０】
図６は、実施の形態（６）に係る音声送信装置の要部を概略的に示したブロック図である。但し、図１に示した音声送信装置と同様の構成部分については同符号を付し、ここではその説明を省略する。
【００６１】
図中３３は音声送信装置を示しており、音声送信装置３３は送信回路２と、アンプ３Ｌ、３Ｒと、トランジスタ４Ｌ、４Ｒと、発光ダイオード５Ｌ、５Ｒと、抵抗６Ｌ、６Ｒと、直流電源７Ｌ、７Ｒと、制御回路３４と、音声送信装置３３と音声受信装置ＲＥ（図示せず）との距離Ｆを測定するための距離測定回路２３とを含んで構成されている。
【００６２】
制御回路３４には距離測定回路２３が接続され、制御回路３４は音声送信装置３３と音声受信装置ＲＥとの距離Ｆを把握することができるようになっている。また、制御回路３４は距離Ｆに基づいて、発光ダイオード５Ｌ、５Ｒへの電力供給を止めたり、送信回路２の稼働を停止させたりすることができるようになっており、例えば、距離Ｆが所定の距離Ｆ１未満である場合、通常通り、発光ダイオード５Ｌ、５Ｒへの電力供給を行うと共に、送信回路２を稼働させ、他方、距離Ｆが所定の距離Ｆ１以上である場合、発光ダイオード５Ｌ、５Ｒへの電力供給を止めると共に、送信回路２の稼働を停止させる。なお、送信回路２の稼働を停止させるには、送信回路２への電力供給を止めるようにすれば良い。
【００６３】
上記実施の形態（６）に係る音声送信装置によれば、音声送信装置３３と音声受信装置ＲＥとの距離Ｆに基づいて、前記音声信号の送信が禁止され、距離Ｆが遠い場合は、前記音声信号の送信を禁止することができるようになっている。
これにより、距離Ｆが遠く音声受信装置ＲＥで前記音声信号の受信が難しい場合は、前記音声信号の送信が禁止されるため、不要に電力が消費されるのを防ぐことができると共に、使用者に対して音声送信装置３３から遠く離れていることを知らせることができる。
【００６４】
図７は、実施の形態（７）に係る音声送信装置の要部を概略的に示したブロック図である。但し、図１に示した音声送信装置と同様の構成部分については同符号を付し、ここではその説明を省略する。
【００６５】
図中３５は音声送信装置を示しており、音声送信装置３５は送信回路２と、アンプ３Ｌ、３Ｒと、トランジスタ４Ｌ、４Ｒと、近距離向きの（すなわち、音声信号の到達距離の短い）発光ダイオード３６Ｌ、３６Ｒと、遠距離向きの（すなわち、音声信号の到達距離の長い）発光ダイオード３７Ｌ、３７Ｒと、スイッチ３８Ｌ、３８Ｒと、抵抗６Ｌ、６Ｒと、直流電源７Ｌ、７Ｒと、制御回路３９と、音声送信装置３５と音声受信装置ＲＥ（図示せず）との距離Ｆを測定するための距離測定回路２３とを含んで構成されている。
【００６６】
トランジスタ４Ｌのコレクタには近距離向きの発光ダイオード３６Ｌのカソードと、遠距離向きの発光ダイオード３７Ｌのカソードとが並列に接続され、発光ダイオード３６Ｌ、３７Ｌのアノードはスイッチ３８Ｌを介して直流電源７Ｌが接続されるようになっている。
【００６７】
また、トランジスタ４Ｒのコレクタには近距離向きの発光ダイオード３６Ｒのカソードと、遠距離向きの発光ダイオード３７Ｒのカソードとが並列に接続され、発光ダイオード３６Ｒ、３７Ｒのアノードはスイッチ３８Ｒを介して直流電源７Ｒが接続されるようになっている。
【００６８】
制御回路３９には距離測定回路２３が接続され、制御回路３９は音声送信装置３５と音声受信装置ＲＥとの距離Ｆを把握することができるようになっている。また、制御回路３９は距離Ｆに基づいて、スイッチ３８Ｌ、３８Ｒの切り換えを行うことによって、直流電源７Ｌ、７Ｒからの電力を供給する発光ダイオードの切り換えを行うことができるようになっており、例えば、距離Ｆが所定の距離Ｆ３未満の場合、近距離向きの発光ダイオード３６Ｌ、３６Ｒと、直流電源７Ｌ、７Ｒと接続させるようにスイッチ３８Ｌ、３８Ｒの切り換えを行い、他方、距離Ｆが所定の距離Ｆ３以上の場合、遠距離向きの発光ダイオード３７Ｌ、３７Ｒと、直流電源７Ｌ、７Ｒと接続させるようにスイッチ３８Ｌ、３８Ｒの切り換えを行う。
【００６９】
上記実施の形態（７）に係る音声送信装置によれば、音声送信装置３５と音声受信装置ＲＥとの距離Ｆに基づいて、近距離向きの発光ダイオード３６Ｌ、３６Ｒと遠距離向きの発光ダイオード３７Ｌ、３７Ｒとが使い分けられ、距離Ｆが近い場合は、近距離向きの発光ダイオード３６Ｌ、３６Ｒを使い、他方、距離Ｆが遠い場合は、遠距離向きの発光ダイオード３７Ｌ、３７Ｒを使うことができるようになっている。
これにより、距離Ｆが遠い場合は、前記音声信号の到達距離が伸びるため、距離Ｆが遠く離れた場合における聴感レベルの改善を図ることができる。また逆に、距離Ｆが近い場合は、消費電力の低減を図ることができる。
【００７０】
なお、上記実施の形態（７）に係る音声送信装置では、近距離向きの発光ダイオード３６Ｌ、３６Ｒと、遠距離向きの発光ダイオード３７Ｌ、３７Ｒとの２種類の発光ダイオードを使い分ける場合についてのみ説明しているが、別の実施の形態に係る音声送信装置では、３種類以上の発光ダイオードを使い分けるようにしても良い。
【００７１】
図８は、実施の形態（８）に係る音声送信装置の要部を概略的に示したブロック図である。但し、図１に示した音声送信装置と同様の構成部分については同符号を付し、ここではその説明を省略する。
【００７２】
図中４０は音声送信装置を示しており、音声送信装置４０は送信回路２と、アンプ３Ｌ、３Ｒ、４１Ｌ、４１Ｒと、トランジスタ４Ｌ、４Ｒと、発光ダイオード５Ｌ、５Ｒと、抵抗６Ｌ、６Ｒと、直流電源７Ｌ、７Ｒと、制御回路４２と、音声送信装置４０と音声受信装置ＲＥ（図示せず）との距離Ｆを測定するための距離測定回路２３とを含んで構成され、送信回路２へはアンプ４１Ｌ、４１Ｒそれぞれを介してＬチャンネルの音声信号、及びＲチャンネルの音声信号が取り込まれるようになっている。
【００７３】
制御回路４２には距離測定回路２３が接続され、制御回路４２は音声送信装置４０と音声受信装置ＲＥとの距離Ｆを把握することができるようになっている。また、制御回路４２は距離Ｆに基づいて、アンプ４１Ｌ、４１Ｒによる増幅量を調整することができるようになっており、例えば、距離Ｆが所定の距離Ｆ１以上であり、かつ所定の距離Ｆ２（＞Ｆ１）未満の場合、アンプ４１Ｌ、４１Ｒによる増幅量を基準レベルＬとし、距離Ｆが所定の距離Ｆ２以上の場合、アンプ４１Ｌ、４１Ｒによる増幅量を基準レベルＬの３０％増しとなるように調整し、逆に、距離Ｆが所定の距離Ｆ１未満の場合、アンプ４１Ｌ、４１Ｒによる増幅量を基準レベルＬの３０％下げとなるように調整する。
【００７４】
上記実施の形態（８）に係る音声送信装置によれば、音声送信装置４０と音声受信装置ＲＥとの距離に基づいて、搬送波に載せる前の音声信号の増幅の調整が行われ、距離Ｆが近い場合は、音声信号の信号レベルを上げ、他方、距離Ｆが遠い場合は、前記信号レベルを下げることができるようになっている。
これにより、距離Ｆが遠い場合は、前記音声信号の信号レベルが上がるため、距離Ｆが遠く離れた場合でも安定した聴感レベルを維持することができる。また、距離Ｆが近い場合は、消費電力の低減を図ることができる。
【００７５】
なお、上記実施の形態（８）に係る音声送信装置では、アンプ４１Ｌ、４１Ｒによる増幅量を数段階（ここでは、３段階）に分けて調整するようにしているが、別の実施の形態に係る音声送信装置では、前記増幅量をリニアに調整するようにしても良い。
【００７６】
図９は、実施の形態（９）に係る音声送信装置の要部を概略的に示したブロック図である。但し、図１に示した音声送信装置と同様の構成部分については同符号を付し、ここではその説明を省略する。
【００７７】
図中４３は音声送信装置を示しており、音声送信装置４３は送信回路２と、アンプ３Ｌ、３Ｒと、トランジスタ４Ｌ、４Ｒと、発光ダイオード５Ｌ、５Ｒと、抵抗６Ｌ、６Ｒと、直流電源７Ｌ、７Ｒと、音声重畳回路４４と、警告を示す信号を発生する警告音発生回路４５と、音声送信装置４３と音声受信装置ＲＥ（図示せず）との距離Ｆを測定するための距離測定回路２３とを含んで構成され、音声重畳回路４４にはＬチャンネルの音声信号、及びＲチャンネルの音声信号が入力されるようになっている。
【００７８】
また、音声重畳回路４４には距離測定回路２３が接続され、音声重畳回路４４は音声送信装置４３と音声受信装置ＲＥとの距離Ｆを把握することができ、また、音声重畳回路４４には警告音発生回路４５が接続され、音声重畳回路４４は警告を示す信号を取り込むことができるようになっている。また、音声重畳回路４４は距離Ｆに基づいて、送信回路２へ出力する音声信号に警告を示す信号を重畳するようになっており、例えば、距離Ｆが所定の距離Ｆ１以上である場合、警告を示す信号を重畳した音声信号を送信回路２へ出力する。
【００７９】
上記実施の形態（９）に係る音声送信装置によれば、音声送信装置４３と音声受信装置ＲＥとの距離Ｆに基づいて、前記音声信号に警告を示す信号が重畳して送信され、距離Ｆが遠い場合は、前記音声信号に警告を示す信号を重畳して送信することができるようになっている。
これにより、距離Ｆが遠く音声受信装置ＲＥで前記音声信号の受信が難しい場合は、前記音声信号に警告を示す信号が重畳して送信されるため、使用者に対して音声送信装置４３から遠く離れていることを警告音で知らせることができる。
【００８０】
図１０は、実施の形態（１０）に係る音声送信装置の要部を概略的に示したブロック図である。但し、図１に示した音声送信装置と同様の構成部分については同符号を付し、ここではその説明を省略する。
【００８１】
図中４６は音声送信装置を示しており、音声送信装置４６は送信回路２と、アンプ３Ｌ、３Ｒと、トランジスタ４Ｌ、４Ｒと、発光ダイオード５Ｌ、５Ｒ、４７Ｌ、４７Ｒと、抵抗６Ｌ、６Ｒと、スイッチ４８Ｌ、４８Ｒと、直流電源７Ｌ、７Ｒ、４９Ｌ、４９Ｒと、制御回路５０と、音声送信装置４６と音声受信装置ＲＥ（図示せず）との距離Ｆを測定するための距離測定回路２３とを含んで構成されている。
【００８２】
トランジスタ４Ｌのコレクタには発光ダイオード５Ｌと並列に、別の発光ダイオード４７Ｌのカソードと接続され、発光ダイオード４７Ｌのアノードはスイッチ４８Ｌを介して直流電源４９Ｌ（例えば、ＤＣ９Ｖ）が接続されるようになっている。
【００８３】
また、トランジスタ４Ｒのコレクタにも発光ダイオード５Ｒと並列に、別の発光ダイオード４７Ｒのカソードと接続され、発光ダイオード４７Ｒのアノードはスイッチ４８Ｒを介して直流電源４９Ｒ（例えば、ＤＣ９Ｖ）が接続されるようになっている。
【００８４】
制御回路５０には距離測定回路２３が接続され、制御回路５０は音声送信装置４６と音声受信装置ＲＥとの距離Ｆを把握することができるようになっている。また、制御回路５０は距離Ｆに基づいて、スイッチ４８Ｌ、４８ＲのＯＮ／ＯＦＦの切り換えを行うことによって、使用する発光ダイオードの数を変更することができるようになっており、例えば、距離Ｆが所定の距離Ｆ３未満の場合、スイッチ４８Ｌ、４８ＲがＯＦＦとなるようにし、他方、距離Ｆが所定の距離Ｆ３以上の場合、スイッチ４８Ｌ、４８ＲがＯＮとなるようにする。
【００８５】
上記実施の形態（１０）に係る音声送信装置によれば、音声送信装置４６と音声受信装置ＲＥとの距離Ｆに基づいて、発光ダイオードの使用数が変更され、距離Ｆが遠い場合は、発光ダイオードの使用数を多くして前記音声信号の到達距離を長くし、他方、距離Ｆが短い場合は、発光ダイオードの使用数を少なくして前記音声信号の到達距離を短くすることができるようになっている。
これにより、距離Ｆが遠い場合は、前記音声信号の到達距離が伸びるため、距離Ｆが遠く離れた場合における聴感レベルの改善を図ることができる。また、距離Ｆが近い場合は、消費電力の低減を図ることができる。
【００８６】
なお、上記実施の形態（１０）に係る音声送信装置では、距離Ｆに基づいて、１チャンネル当たり使用する発光ダイオードの個数（ここでは、最大２個）を変更しているが、別の実施の形態に係る音声送信装置では、使用する発光ダイオードの個数は３個以上であっても良い。
【００８７】
図１１は、実施の形態（１１）に係る音声送信装置の要部を概略的に示したブロック図である。図中５１は音声送信装置を示しており、音声送信装置５１は制御回路５２と、音声送信装置５１と音声受信装置ＲＥ（図示せず）との距離Ｆを測定するための距離測定回路２３と、発光ダイオード５Ｌ、５Ｒ（図１４参照）を垂直方向へ移動させるための垂直移動手段５３と、発光ダイオード５Ｌ、５Ｒを水平方向へ移動させるための水平移動手段５４とを含んで構成されている。
【００８８】
制御回路５２には距離測定回路２３が接続され、制御回路５２は音声送信装置５１と音声受信装置ＲＥとの距離Ｆを把握することができるようになっている。また、制御回路５２は距離Ｆに基づいて、垂直移動手段５３、及び水平移動手段５４を制御することができるようになっており、例えば、距離Ｆが所定の距離Ｆ１以上であり、かつ所定の距離Ｆ２（＞Ｆ１）未満の場合、発光ダイオード５Ｌ、５Ｒを基準位置へ移動させ、距離Ｆが所定の距離Ｆ２以上の場合、発光ダイオード５Ｌ、５Ｒを上昇させると共に、水平面に対してもいずれかの方向に移動させ、逆に、距離Ｆが所定の距離Ｆ１未満の場合、発光ダイオード５Ｌ、５Ｒを下降させると共に、水平面に対してもいずれかの方向に移動させる。
【００８９】
なお、距離測定回路２３については、音声受信装置ＲＥから定期的に発信される信号の受信状態を検出することができるようになっているため、発光ダイオード５Ｌ、５Ｒの適切な移動位置については、前記受信状態に基づいて判断することができるようになっている。
【００９０】
上記実施の形態（１１）に係る音声送信装置によれば、音声送信装置５１と音声受信装置ＲＥとの距離Ｆに基づいて、発光ダイオード５Ｌ、５Ｒが垂直方向、及び水平方向に移動させられ、距離Ｆが遠い場合は、発光ダイオード５Ｌを上昇させたり、水平方向に移動させ、他方、距離Ｆが短い場合は、発光ダイオード５Ｒを下降させたり、水平方向に移動させることができるようになっている。
これにより、前記音声信号の到達範囲を適宜調整することができるため、距離Ｆが遠く離れた場合における聴感レベルの改善を図ることができる。
【００９１】
図１２は、実施の形態（１２）に係る音声送信装置の要部を概略的に示したブロック図である。図中５５は音声送信装置を示しており、音声送信装置５５は制御回路５６と、音声送信装置５５と音声受信装置ＲＥ（図示せず）との距離Ｆを測定するための距離測定回路２３と、発光ダイオード５Ｌ、５Ｒ（図１４参照）から送信される信号の向きを変更するための送信向き変更手段５７とを含んで構成されている。
【００９２】
制御回路５６には距離測定回路２３が接続され、制御回路５６は音声送信装置５５と音声受信装置ＲＥとの距離Ｆを把握することができるようになっている。また、制御回路５６は距離Ｆに基づいて、送信向き変更手段５７を制御することができるようになっており、例えば、距離Ｆが所定の距離Ｆ１以上である場合、送信向きをいずれかの方向に変更する。
【００９３】
なお、距離測定回路２３については、音声受信装置ＲＥから定期的に発信される信号の受信状態を検出することができるようになっているため、発光ダイオード５Ｌ、５Ｒの適切な向きについては、前記受信状態に基づいて判断することができるようになっている。
【００９４】
上記実施の形態（１２）に係る音声送信装置によれば、音声送信装置５５と音声受信装置ＲＥとの距離Ｆに基づいて、発光ダイオード５Ｌ、５Ｒにおける前記音声信号を送信する向きが変更され、距離Ｆが遠い場合は、前記向きを変更することができるようになっている。
これにより、前記音声信号の到達範囲を適宜調整することができるため、距離Ｆが遠く離れた場合における聴感レベルの改善を図ることができる。
【００９５】
なお、上記実施の形態（１）〜（１２）に係る音声送信装置では、音声送信装置２１、２４、…と音声受信装置ＲＥとが１対１の場合についてのみ説明しているが、本発明は音声送信装置２１、２４、…と音声受信装置ＲＥとは１対１に限られるものではなく、１対ｎ（≧２）であっても良く、その場合には、最も離れている使用者を送信制御の対象としても良いし、全体の統計をとり、所定の割合（例えば、９５％）以上の使用者が満足できるように送信の制御を行うようにしても良い。
【００９６】
また、上記実施の形態（１）〜（１２）に係る音声送信装置では、音声受信装置ＲＥから定期的に発信される信号に基づいて、音声送信装置２１、２４、…と音声受信装置ＲＥとの距離Ｆを測定するようになっているが、距離Ｆを求める方法はこの方法に限定されるものではなく、別の方法としては、例えば、音声送信装置２１、２４、…から応答用信号を送信し、音声受信装置ＲＥが前記応答用信号を受信すると、返信用信号を送信するようにし、音声送信装置２１、２４、…において前記応答用信号の送信時と前記返信用信号の受信時との時間差に基づいて、距離Ｆを求めるといった方法が挙げられる。
【００９７】
また、上記実施の形態（１）〜（１２）に係る音声送信装置では、音声送信装置２１、２４、…と音声受信装置ＲＥとの距離Ｆに基づいて、各種送信制御を行うようになっているが、別の実施の形態に係る音声送信装置では、音声送信装置２１、２４、…から送信される信号の音声受信装置ＲＥでの受信状態や、音声受信装置ＲＥから送信される信号の音声送信装置２１、２４、…での受信状態に基づいて、前記各種送信制御を行うようにしても良い。
【図面の簡単な説明】
【図１】本発明の実施の形態（１）に係る音声送信装置の要部を概略的に示したブロック図である。
【図２】実施の形態（２）に係る音声送信装置の要部を概略的に示したブロック図である。
【図３】実施の形態（３）に係る音声送信装置の要部を概略的に示したブロック図である。
【図４】実施の形態（４）に係る音声送信装置の要部を概略的に示したブロック図である。
【図５】実施の形態（５）に係る音声送信装置の要部を概略的に示したブロック図である。
【図６】実施の形態（６）に係る音声送信装置の要部を概略的に示したブロック図である。
【図７】実施の形態（７）に係る音声送信装置の要部を概略的に示したブロック図である。
【図８】実施の形態（８）に係る音声送信装置の要部を概略的に示したブロック図である。
【図９】実施の形態（９）に係る音声送信装置の要部を概略的に示したブロック図である。
【図１０】実施の形態（１０）に係る音声送信装置の要部を概略的に示したブロック図である。
【図１１】実施の形態（１１）に係る音声送信装置の要部を概略的に示したブロック図である。
【図１２】実施の形態（１２）に係る音声送信装置の要部を概略的に示したブロック図である。
【図１３】従来のワイヤレスで音声を送受信するための音声送受信システムの外観を示した図である。
【図１４】従来の音声送受信システムを構成する音声送信装置の要部を概略的に示したブロック図である。
【符号の説明】
２　送信回路
３Ｌ、３Ｒ、４１Ｌ、４１Ｒ　アンプ
４Ｌ、４Ｒ、２８Ｌ、２８Ｒ　トランジスタ
５Ｌ、５Ｒ、３６Ｌ、３６Ｒ　発光ダイオード
３７Ｌ、３７Ｒ、４７Ｌ、４７Ｒ　発光ダイオード
２１、２４、２６、２９、３１、３３　音声送信装置
３５、４０、４３、４６、５１、５５　音声送信装置
２２、２５、２７、３４、３９、４２、５０、５２、５６　制御回路
２３　距離測定回路
３０　ステレオ／モノラル切換回路
３２　ミュート回路
３８Ｌ、３８Ｒ、４８Ｌ、４８Ｒ　スイッチ
４０　音声重畳回路
４５　警告音発生回路
５３　垂直移動手段
５４　水平移動手段
５７　送信向き変更手段
【図１】
2004096537.tif 000003
【図２】
2004096537.tif 000004
【図３】
2004096537.tif 000005
【図４】
2004096537.tif 000006
【図５】
2004096537.tif 000007
【図６】
2004096537.tif 000008
【図７】
2004096537.tif 000009
【図８】
2004096537.tif 000010
【図９】
2004096537.tif 000011
【図１０】
2004096537.tif 000012
【図１１】
2004096537.tif 000013
【図１２】
2004096537.tif 000014
【図１３】
2004096537.tif 000015
【図１４】
2004096537.tif 000016